(57)【要約】【課題】特定の放送コンテンツと別コンテンツとの切り替えを確実、且つ適切なタイミングで行うことが可能なコンテンツ再生装置を提供する。【解決手段】プレイリストに従って外部機器に記憶された楽曲を再生している場合（ステップＳ１）、プロセッサーが、ラジオ放送に含まれる楽曲識別情報に基づいてラジオ放送の楽曲が予め定めた条件に合致するか否かを判定し（ステップＳ２）、合致すると判定すると（ステップＳ３；ＹＥＳ）、条件に合致する楽曲を録音し（ステップＳ４）、再生中の楽曲の再生が終了した後に（ステップＳ４）、録音した楽曲を再生させる（ステップＳ６）。【選択図】図４
2017060002.tif 000002
【特許請求の範囲】
【請求項１】
放送コンテンツと前記放送コンテンツの識別情報とを含む放送波を受信する受信部と、
受信した前記放送コンテンツを一時的に記憶するバッファ部と、
前記バッファ部に記憶された前記放送コンテンツの再生と、前記放送コンテンツと異なる別コンテンツの再生とが可能な再生部と、
前記再生部が、複数の前記別コンテンツを再生している場合に、前記識別情報に基づいて、前記放送コンテンツが予め定めた条件に合致するか否かを判定し、合致すると判定すると、再生中の前記別コンテンツの再生が終了した後に、前記合致する前記放送コンテンツを前記バッファ部から読み出して再生させる強制切替処理を行う制御部と、
を備えることを特徴とするコンテンツ再生装置。
【請求項２】
前記制御部は、前記放送コンテンツが前記条件に合致すると判定したときに再生中の前記別コンテンツの再生が終了すると、前記条件に合致する前記放送コンテンツの再生に切り替えることを特徴とする請求項１に記載のコンテンツ再生装置。
【請求項３】
複数の前記別コンテンツを、予め定めたプレイリストに従って再生するプレイリスト再生モードを備え、
前記制御部は、前記プレイリストに従って複数の前記別コンテンツを順に再生している場合に、前記放送コンテンツが前記条件に合致すると判定したときに再生中の前記別コンテンツの再生が終了すると、前記プレイリストに従った再生を一時停止させ、前記条件に合致する前記放送コンテンツの再生が終了すると、前記プレイリストに従った再生を再開させることを特徴とする請求項２に記載のコンテンツ再生装置。
【請求項４】
各種情報を表示する表示部を備え、
前記制御部は、前記表示部に対し、前記別コンテンツの再生中は、前記別コンテンツの操作画面を表示させ、前記放送コンテンツの再生に切り替わると、前記放送コンテンツの操作画面を表示させることを特徴とする請求項１から３のいずれかに記載のコンテンツ再生装置。
【請求項５】
前記コンテンツ再生装置が搭載される車両が停止中か否かを検出する車両状態検出部を有し、
前記制御部は、前記車両が移動中のときに、前記強制切替処理を行い、前記車両が停止中のときは、前記強制切替処理をキャンセルすることを特徴とする請求項１から４のいずれかに記載のコンテンツ再生装置。
【発明の詳細な説明】
【技術分野】
【０００１】
本発明は、放送コンテンツなどを再生可能なコンテンツ再生装置に関する。
【背景技術】
【０００２】
ラジオ放送には、放送コンテンツである楽曲の音声信号と、この楽曲を識別する識別情報とを含んだ放送波を送信するものがある。この種のラジオ放送を受信し再生するオーディオ装置には、ラジオ放送と異なるコンテンツ（非ラジオ放送）の音声を再生している間、ラジオ放送に含まれる識別情報を表示し、ユーザーの指示に応じてラジオ放送の再生に切り替えるものがある（例えば、特許文献１）。
【先行技術文献】
【特許文献】
【０００３】
【特許文献１】特開２０１４−１７５８３１号公報
【発明の概要】
【発明が解決しようとする課題】
【０００４】
しかし、従来の構成は、放送コンテンツと異なる別コンテンツの音声を再生している間、ユーザーが識別情報の表示を見てラジオ放送の楽曲を確認する必要があり、放送コンテンツが好みの楽曲であっても、ユーザーが表示に気づかないときは聞き逃してしまう。
また、放送コンテンツへの切替判断や切替タイミングは、ユーザーに依存するので、運転等を行っているユーザーが、別コンテンツから放送コンテンツへの切り替えを楽曲の切れ目等のタイミングでスムーズに行うことが難しかった。
【０００５】
本発明は、上述した事情に鑑みてなされたものであり、特定の放送コンテンツと別コンテンツとの切り替えを確実、且つ適切なタイミングで行うことが可能なコンテンツ再生装置を提供することを目的とする。
【課題を解決するための手段】
【０００６】
上記目的を達成するために、本発明のコンテンツ再生装置は、放送コンテンツと前記放送コンテンツの識別情報とを含む放送波を受信する受信部と、受信した前記放送コンテンツを一時的に記憶するバッファ部と、前記バッファ部に記憶された前記放送コンテンツの再生と、前記放送コンテンツと異なる別コンテンツの再生とが可能な再生部と、前記再生部が、複数の前記別コンテンツを再生している場合に、前記識別情報に基づいて、前記放送コンテンツが予め定めた条件に合致するか否かを判定し、合致すると判定すると、再生中の前記別コンテンツの再生が終了した後に、前記合致する前記放送コンテンツを前記バッファ部から読み出して再生させる強制切替処理を行う制御部と、を備えることを特徴とする。
【０００７】
上記構成において、前記制御部は、前記放送コンテンツが前記条件に合致すると判定したときに再生中の前記別コンテンツの再生が終了すると、前記条件に合致する前記放送コンテンツの再生に切り替えるようにしても良い。
【０００８】
上記構成において、複数の前記別コンテンツを、予め定めたプレイリストに従って再生するプレイリスト再生モードを備え、前記制御部は、前記プレイリストに従って複数の前記別コンテンツを順に再生している場合に、前記放送コンテンツが前記条件に合致すると判定したときに再生中の前記別コンテンツの再生が終了すると、前記プレイリストに従った再生を一時停止させ、前記条件に合致する前記放送コンテンツの再生が終了すると、前記プレイリストに従った再生を再開させるようにしても良い。
【０００９】
上記構成において、各種情報を表示する表示部を備え、前記制御部は、前記表示部に対し、前記別コンテンツの再生中は、前記別コンテンツの操作画面を表示させ、前記放送コンテンツの再生に切り替わると、前記放送コンテンツの操作画面を表示させるようにしても良い。
【００１０】
上記構成において、前記コンテンツ再生装置が搭載される車両が停止中か否かを検出する車両状態検出部を有し、前記制御部は、前記車両が移動中のときに、前記強制切替処理を行い、前記車両が停止中のときは、前記強制切替処理をキャンセルするようにしても良い。
【発明の効果】
【００１１】
本発明では、放送コンテンツと異なる複数の別コンテンツを再生している場合に、放送コンテンツの識別情報に基づいて、前記放送コンテンツが予め定めた条件に合致するか否かを判定し、合致すると判定すると、再生中の前記別コンテンツの再生が終了した後に、前記合致する前記放送コンテンツを、放送コンテンツを一時的に記憶するバッファ部から読み出して再生させる強制切替処理を行うので、特定の放送コンテンツと別コンテンツとの切り替えを確実、且つ適切なタイミングで行うことが可能になる。
【図面の簡単な説明】
【００１２】
【図１】本発明のコンテンツ再生装置の第１実施形態に係る車載用音響装置のブロック図である。
【図２】ラジオ操作画面を示した図である。
【図３】プレイリスト操作画面を示した図である。
【図４】プレイリスト再生モード時の動作を示すフローチャートである。
【図５】第２実施形態に係る車載用音響装置のブロック図である。
【発明を実施するための形態】
【００１３】
以下、図面を参照して本発明の実施の形態について説明する。
（第１実施形態）
図１は本発明のコンテンツ再生装置の第１実施形態に係る車載用音響装置のブロック図である。
この車載用音響装置１は、移動体の一種である車両に搭載され、ラジオ放送の音楽ソースである楽曲（放送コンテンツに相当）を再生する機能と、外部機器１００に記憶された音楽ソースである楽曲（別コンテンツに相当）を再生する機能とを具備している。この車載用音響装置１は、車両に備え付けられたものでなくても良く、例えば、車両内に持ち運び可能な可搬型の装置であっても良い。また、車両以外の移動体に搭載されても良い。
【００１４】
車載用音響装置１は、プロセッサー１０、表示部２０、指示入力部３０（タッチスクリーン３１、ハードスイッチ３２など）、ラジオ受信部４０、バッファ部５０、入出力インターフェース（以下、「I／Ｆ」と言う）６０、及び再生部７０を備えている。
【００１５】
プロセッサー１０は、車載用音響装置１の各部、及び外部機器１００を制御する制御部として機能する。より具体的には、プロセッサー１０は、演算処理などの各種処理を行うＣＰＵ（Central Processing Unit）、実行される制御プログラムや必要なデータを一時的に格納するＲＡＭ（Random Access Memory）、及び、制御プログラムや各種データを格納するＲＯＭ等のメモリを備え、いわゆるコンピューターとして機能する。このプロセッサー１０は、Ｉ／Ｆ６０を介して外部機器１００と通信可能に接続されている。
【００１６】
表示部２０は、プロセッサー１０の制御の下、操作画面などの各種の画像を表示するデバイスであり、例えば、液晶ディスプレイ、有機ＥＬ（Electro-Luminescence）ディスプレイなどの公知の表示デバイスで形成される。
指示入力部３０は、ユーザーの指示を入力するデバイスであり、表示部２０の画面に重ねて配置された透明のタッチスクリーン３１、及びハードスイッチ３２を介してユーザーの指示を入力する。
【００１７】
タッチスクリーン３１は、表示部２０の表示面に重ねて配置された透過性のタッチパネルを用いてユーザーの接触位置を検出するデバイスである。このタッチスクリーン３１には、例えば、同時に複数の接触位置を検出できるマルチタッチスクリーンが使用される。なお、タッチスクリーン３１には、一点の接触位置を検出できるものも含め、公知のタッチスクリーンを広く適用可能である。
ハードスイッチ３２は、例えば、ボタンスイッチ、ダイヤルスイッチ、スクロールホイール、スライドスイッチ、ジョイスティックなどである。なお、ハードスイッチ３２についても公知のスイッチを広く適用可能である。
【００１８】
ラジオ受信部４０は、ラジオ放送局が放送するラジオ放送波（放送信号）をアンテナ４１を介して受信し、受信したラジオ放送波に含まれる情報を取得するデバイスである。本実施形態のラジオ受信部４０は、通信衛星を利用したデジタルラジオ放送を受信するデジタルラジオデコーダであり、プロセッサー１０の制御の下、様々なチャンネルのラジオ放送波を受信し、受信したラジオ放送波の信号にデコード処理などの信号処理を施し、ラジオ放送波に含まれる楽曲情報、及び楽曲識別情報を取得する。
【００１９】
楽曲情報は、放送コンテンツである楽曲の音声データである。また、楽曲識別情報は、現在放送中の楽曲を識別可能にするデータであり、楽曲のタイトル名（曲名）、アーティスト名、楽曲のジャンルなどのデータを含んでいる。つまり、受信対象のラジオ放送は、楽曲の音声データとともに、その楽曲を識別可能にする楽曲識別情報を放送することにより、受信側の装置（車載用音響装置１）で、現在放送中の楽曲を特定することが可能である。
【００２０】
バッファ部５０は、ラジオ受信部４０により受信したラジオ放送波から得た楽曲情報を少なくとも一時的に記憶する記憶デバイスであり、例えば、ハードディスク装置で構成される。本実施形態のバッファ部５０には、プロセッサー１０の制御により、現時点から所定時間前（例えば一時間前）までの楽曲情報と楽曲識別情報の双方が記憶される。これにより、一時記憶（つまり、キャッシュ）された楽曲情報を用いて過去に放送された楽曲を再生することができる。
【００２１】
外部機器１００は、内蔵するメモリ、或いは着脱可能なメモリに楽曲を記憶し、これらメモリに記憶された楽曲を再生する装置であり、例えば、ポータブルオーディオプレイヤーである。なお、楽曲を記憶する際には、楽曲の音声データ（例えば、圧縮音声データ）に加え、アルバム名、楽曲の曲名、アーティスト名などを記述した楽曲識別情報、及び楽曲に関連づけられた関連画像（例えばジャケット画像）なども記憶されている。
【００２２】
この外部機器１００は、記憶された楽曲の再生を行う再生態様の一つとして、プレイリストに従って楽曲を再生するプレイリスト再生のモード（以下、「プレイリスト再生モード」と言う）を備えている。プレイリスト再生は広く知られた機能であるが、説明すると、プレイリストは、再生対象の楽曲を規定する再生リストであり、ユーザーがプレイリスト再生モードでの動作を指示することにより、プレイリストに規定された楽曲群だけを再生し、且つ、プレイリストで規定された順番で楽曲群を再生する。このプレイリストは、ユーザーが作成しても良いし、又は、予め定めたテーマ（例えばジャンル、アーティスト名）に従って外部機器１００などが自動的に作成しても良い。
【００２３】
車載用音響装置１のプロセッサー１０は、Ｉ／Ｆ６０を介して外部機器１００と通信することにより、外部機器１００を遠隔制御することができる。この遠隔制御を行うことによって、プロセッサー１０は、外部機器１００をプレイリスト再生モードで動作させたり、再生の一時停止、曲送り、曲戻しなどの再生コントロールが可能である。なお、再生時の楽曲のデータ、及びこの楽曲の楽曲識別情報は、Ｉ／Ｆ６０を介してプロセッサー１０が取得可能である。
【００２４】
Ｉ／Ｆ６０は、有線のインターフェースに限らず、Bluetooth（登録商標）などを利用した無線のインターフェースでも良い。再生部７０は、アンプを備え、プロセッサー１０の制御の下、ラジオ放送の楽曲、又は外部機器１００に記憶された楽曲に対応する音声信号を増幅して車両に配置されたスピーカーから音声を出力させる。これによって、車両のスピーカーを利用して楽曲などの音声を車内に出力させることができる。
【００２５】
この車載用音響装置１は、指示入力部３０を介して音源（「ラジオ」、「外部機器」）の選択を受け付け、選択された音源に応じた動作状態に移行する。
図２は、音源として「ラジオ」が選択された場合の動作状態（「ラジオモード」と言う）の画面例を示している。
図２に示す画面ＧＲは、ラジオ局の楽曲再生に関する操作を受け付けるラジオ操作画面（第２操作画面）である。このラジオ操作画面ＧＲは、放送コンテンツの情報を示す情報画像ＧＲ１と、放送コンテンツの操作に関する画像を示す操作画像ＧＲ２とを有している。具体的には、情報画像ＧＲ１としては、現在再生中の楽曲を放送したラジオ局の局名に加えて、楽曲識別情報に基づく情報（楽曲のアーティスト名、曲名など）が表示される。
【００２６】
操作画像ＧＲ２としては、楽曲の再生コントロールに関する画像（曲戻し、再生、及び曲送りに対応する操作子の画像Ｇ１〜Ｇ３と、再生位置を示す再生位置表示画像Ｇ４）と、ラジオ局の選局に関する画像（ラジオ局を示す画像Ｇ５と、ラジオ局の一覧のうち画像Ｇ５の表示領域を示す位置表示画像Ｇ６）とが表示される。
ユーザーが各画像Ｇ１〜Ｇ６のいずれかに対応する箇所を操作することで、この画面ＧＲを表示する表示部２０の表示面に配置されたタッチスクリーン３１を介して、ユーザーの操作が検出される。ユーザーの操作が検出されると、プロセッサー１０は、その操作に応じた処理として、楽曲の再生コントロールやラジオ局の選局などを行う。
【００２７】
例えば、再生位置表示画像Ｇ４が操作された場合、プロセッサー１０は、ユーザーの操作に合わせて画像Ｇ４中のバーの位置を左右に移動させる処理と、バーの位置に応じて楽曲の再生位置を変更させる処理とを行う。また、位置表示画像Ｇ６が操作された場合、プロセッサー１０は、ユーザーの操作に合わせて画像Ｇ６中のバーの位置を上下に移動させる処理と、バーの位置に応じて画像Ｇ５に割り当てるラジオ局を変更させる処理とを行う。このようにしてユーザーは、所望のラジオ局の楽曲を再生でき、且つ、楽曲の情報を視認することができる。
なお、この車載用音響装置１での楽曲の再生とは、再生対象の楽曲に対応する音声信号が再生部７０に出力され、楽曲に対応する音声が車内に放音された状態に相当する。
【００２８】
図３は、音源として「外部機器」が選択された場合の動作状態（「外部機器モード」と言う）の画面例を示している。
図３に示す画面ＧＰは、プレイリスト再生モードのときのプレイリスト操作画面（第１操作画面）である。このプレイリスト操作画面ＧＰは、再生する楽曲を示す情報画像ＧＰ１と、楽曲の再生などに関する画像を示す操作画像ＧＰ２とを有している。具体的には、情報画像ＧＰ１としては、現在再生中の楽曲に関連づけられた関連画像（例えばジャケット画像）ＧＰ１Ａ、及び、楽曲識別情報に基づく情報（アルバム名、楽曲のアーティスト名、曲名など）ＧＰ１Ｂが表示される。
【００２９】
操作画像ＧＰ２としては、楽曲の再生コントロールに関する画像（曲戻し、及び曲送りに対応する操作子の画像Ｚ１、Ｚ２と、再生位置を示す再生位置表示画像Ｚ３と、プレイリスト中の何曲目を再生中かを示す画像Ｚ４とが表示される。
ユーザーが各画像Ｚ１〜Ｚ３のいずれかに対応する位置を操作することで、この画面ＧＰを表示する表示部２０の表示面に配置されたタッチスクリーン３１を介して、ユーザーの操作が検出される。また、ユーザーの操作が検出されると、プロセッサー１０は、その操作に応じた処理として、楽曲の再生コントロールを行う。例えば、再生位置表示画像Ｚ３が操作された場合、プロセッサー１０は、ユーザーの操作に合わせて画像Ｚ３中のバーの位置を左右に移動させる処理と、バーの位置に応じて楽曲の再生位置を変更させる処理とを行う。このようにして、ユーザーは、プレイリストの楽曲を順に再生でき、且つ、楽曲の情報を視認可能である。
【００３０】
この車載用音響装置１は、「お気に入りコンテンツ（楽曲）の通知機能（以下、「お気に入り楽曲通知機能」と言う）」を具備している。この機能は、プロセッサー１０の制御の下、ラジオ受信部４０によりラジオ放送波を受信し、受信した楽曲識別情報に基づいて、放送コンテンツである楽曲が予め定めた「お気に入り条件」に合致するか否かを判定し、合致する場合に画面表示などによりユーザーに通知する処理を行うものである。
この「お気に入り楽曲通知機能」を利用するには、ユーザーが「お気に入り条件」を事前に設定し、車載用音響装置１に予め登録しておく必要がある。「お気に入り条件」は、放送コンテンツを選択可能な条件であれば良く、本実施形態では、曲名及びアーティスト名の少なくともいずれかである。この「お気に入り楽曲通知機能」を利用することにより、ユーザーはお気に入り条件（以下、単に「条件」と言う）に合致する楽曲が放送中か否かを知ることが可能になる。
【００３１】
ところで、上記「お気に入り楽曲通知機能」は、ユーザーが画面を見なければ、条件に合致する楽曲が放送中か否か判らず、特にユーザーが運転者の場合は見逃し易い。仮に見逃さなかったとしても、運転中にラジオ局の選局操作を直ぐに行うことは難しい。
そこで、本実施形態では、外部機器１００に記憶された楽曲をプレイリストを利用して再生している場合でも、以下に記載するように、条件に合致する放送中の楽曲を聴取可能にしている。なお、以下の説明では、「お気に入り楽曲通知機能」をオフに設定した場合を例に説明している。
【００３２】
図４はプレイリスト再生モード時の動作を示すフローチャートである。
まず、プロセッサー１０は、指示入力部３０を介してプレイリストの再生（「外部機器」を音源としたプレイリストの再生）の指示を入力すると、外部機器１００を制御してプレイリストの再生を開始する（ステップＳ１）。
このとき、プロセッサー１０は図３に示すプレイリスト操作画面ＧＰ（第１操作画面）を表示部２０に表示させる。これにより、現在再生中の楽曲のジャケット画像、アルバム名、アーティスト名、及び曲名が表示されるとともに、ユーザーによる楽曲の再生コントロール（曲戻し、曲送り）が受け付けられる。
【００３３】
プロセッサー１０は、プレイリストの再生処理を開始すると、ラジオ受信部４０によりラジオ放送の受信を開始させ、ユーザーが予め定めた条件（お気に入り条件）に合致する楽曲が放送されるか否かの判定処理を開始する（ステップＳ２）。
このステップＳ２の処理では、プロセッサー１０は、受信可能なラジオ放送波から楽曲識別情報を順次取得し、各楽曲識別情報を参照し、予め定めた条件である曲名、又はアーティスト名と一致する楽曲が放送されるか否かを順次判定する。つまり、プロセッサー１０は、上記「お気に入り楽曲通知機能」の一部の処理（通知処理以外の処理）を利用して、予め定めた条件に合致する楽曲が放送中か否かを監視する。
【００３４】
なお、プロセッサー１０は、条件に合致する楽曲があってもプレイリスト操作画面ＧＰに表示しない。但し、表示しない態様に限定する必要はなく、条件に合致する楽曲があった場合に、その旨をプレイリスト操作画面ＧＰに表示し、ユーザーに通知しても良い。例えば、「お気に入り楽曲通知機能」をオンにすることにより、条件に合致する楽曲をユーザーに通知すれば良い。
【００３５】
ステップＳ２の判定で、条件に合致する楽曲が放送されない場合（ステップＳ３；ＮＯ）、プロセッサー１０は、プレイリストの再生処理を継続し、つまり、外部機器１００に記憶された楽曲をプレイリストに従って再生する。
一方、条件に合致する楽曲が放送される場合（ステップＳ３；ＹＥＳ）、プロセッサー１０は、条件に合致する楽曲の録音処理を開始する（ステップＳ４）。この場合、プロセッサー１０は、条件に合致する楽曲を放送するラジオ局を選局し、バッファ部５０へ楽曲情報及び楽曲識別情報を記憶させる処理を行うことにより、条件に合致する楽曲を曲の頭からバッファ部５０に録音させる。
【００３６】
条件に合致する楽曲が録音されると、プロセッサー１０は、録音処理を終了させる。但し、条件に合致する楽曲が続く場合には録音処理を継続する。従って、予め定めた条件にアーティスト名だけが規定され、そのアーティスト名の楽曲が連続して放送される場合は、これらの楽曲がまとめて録音される。
【００３７】
プロセッサー１０は、楽曲の録音処理を開始した後、プレイリストに従って再生中の楽曲の再生が終了したと判定すると（ステップＳ５）、ステップＳ６の処理へ移行する。より具体的には、ラジオ放送の楽曲が予め定めた条件に合致すると判定したときに再生していた楽曲の再生が終了すると、ステップＳ６の処理へ移行する。
【００３８】
ステップＳ６の処理では、プロセッサー１０は、プレイリストに従った楽曲の再生を一時停止し、録音した楽曲を録音開始時点から再生する処理を開始する。これにより、外部機器１００に記憶された楽曲の再生から、録音したラジオ放送の楽曲へと自動的に再生対象が切り替わり、且つ、その切り替わりも曲の終了タイミングで行われるので曲をスムーズに切り替えることができる。しかも、条件に合致する楽曲がラジオ放送されたときに再生していた楽曲の終了後に、条件に合致する楽曲が再生されるので、条件に合致するラジオ放送の楽曲を、直ぐにユーザーに聞かせることができる。
【００３９】
また、プロセッサー１０は、録音したラジオ放送の楽曲の再生へと切り替えると、プレイリスト操作画面ＧＰ（第１操作画面）から、図２に示すラジオ操作画面ＧＲ（第２操作画面）へと表示を切り替える。これによって、現在再生中の楽曲を放送したラジオ局の局名、楽曲のアーティスト名、曲名が表示されるとともに、ユーザーによる楽曲の再生コントロール（曲戻し、曲送りなど）が受け付けられる。このように、ラジオ用の画面へ自動的に切り替わるので、ラジオ音源に適した表示、及び再生コントロールができるとともに、ユーザーが画面を見ればラジオに変わったことを容易に認識できる。
【００４０】
プロセッサー１０は、録音したラジオ放送の楽曲の再生を開始した後、この楽曲の再生が終了したと判定すると（ステップＳ７；ＹＥＳ）、プレイリストに従った楽曲の再生を再開させる（ステップＳ８）。これにより、録音したラジオ放送の楽曲の再生から、一時中断したプレイリストの楽曲再生へと自動的に切り替わり、且つ、その切り替わりも曲の切れ目で行うのでスムーズに行うことができる。
【００４１】
プレイリストに従った楽曲の再生を再開させると、プロセッサー１０は、ラジオ操作画面ＧＲ（第２操作画面）から図３に示すプレイリスト操作画面ＧＰ（第１操作画面）へと表示を切り替える。これによって、プレイリストの再生に適した表示（つまり、外部機器１００を音源とした再生に適した表示）、及びユーザーによる再生コントロールが受け付けられる。また、ユーザーが画面を見れば外部機器１００を音源としたプレイリスト再生に戻ったことを容易に認識できる。以上がプレイリスト再生モード時の動作である。
【００４２】
以上説明したように、本実施形態の車載用音響装置１は、ラジオ放送の楽曲を一時的に記憶するバッファ部５０を備え、プレイリストに従って外部機器１００に記憶された楽曲を再生している場合に、プロセッサー１０が、ラジオ放送に含まれる楽曲識別情報に基づいてラジオ放送の楽曲が予め定めた条件に合致するか否かを判定し、合致すると判定すると、再生中の楽曲の再生が終了した後に、合致する楽曲をバッファ部５０から読み出して再生させる制御を行う。
【００４３】
要するに、本実施形態では、外部機器１００に記憶された楽曲を所定順で再生している場合に、ラジオ放送の楽曲が予め定めた条件に合致すると、再生中の楽曲の再生が終了した後に、合致する楽曲の再生に強制的に切り替える処理（以下、「強制切替処理」と言う）を行う。
この強制切替処理を行うことにより、外部機器１００に記憶された楽曲の再生から、条件に合致するラジオ放送の楽曲の再生への切り替えを自動的に行うことができるとともに、曲をスムーズに切り替えることができる。
【００４４】
従って、ラジオ放送の楽曲を放送コンテンツと表記し、外部機器１００に記憶された楽曲を別コンテンツと表記し、条件に合致するラジオ放送の楽曲を、特定の放送コンテンツと表記した場合、別コンテンツから特定の放送コンテンツへの切り替えを確実、且つ適切なタイミングで行うことができる。この結果、ユーザーは運転中であっても、ユーザーが好む特定の放送コンテンツを聞き逃し難くなる。
【００４５】
また、プロセッサー１０は、放送コンテンツが条件に合致すると判定したときに再生中の別コンテンツの再生が終了すると、条件に合致する放送コンテンツの再生に切り替える。これにより、条件に合致する放送コンテンツを早く再生することができる。
【００４６】
しかも、本実施形態では、プレイリストに従って複数の別コンテンツを順に再生している場合に、放送コンテンツが条件に合致すると判定したときに再生中の別コンテンツの再生が終了すると、プレイリストに従った再生を一時停止させる。その後、条件に合致する放送コンテンツの再生が終了すると、プレイリストに従った再生を再開させる。これらにより、複数の別コンテンツの再生を実質的に中断させずに、条件に合致する放送コンテンツを早く再生することが可能である。また、放送コンテンツを再生後、別コンテンツの再生に自動的に切り替えることができるので、ユーザーの操作が不要である。
【００４７】
さらに、本実施形態では、プロセッサー１０が、表示部２０に対し、別コンテンツの再生中は、別コンテンツの操作画面であるプレイリスト操作画面ＧＰ（第１操作画面、図３参照）を表示させ、放送コンテンツの再生に切り替わると、放送コンテンツの操作画面であるラジオ操作画面ＧＲ（第２操作画面、図２参照）を表示させる。これによって、各コンテンツで異なる操作画面を表示できる。従って、各コンテンツに応じた操作を行い易く、且つ、各コンテンツに応じた情報表示が可能になる。また、ユーザーが各操作画面ＧＰ、ＧＲを見て現在の再生対象のコンテンツを認識し易くなる。
【００４８】
（第２実施形態）
図５は、第２実施形態に係る車載用音響装置１のブロック図である。
図５に示すように、第２実施形態の車載用音響装置１には、Ｉ／Ｆ６０を介して車両が具備する車速センサー２００が接続されている。
プロセッサー１０は、Ｉ／Ｆ６０を介して車速センサー２００から出力される車速パルスを取得し、車速パルスに基づいて車両が停止中か否かを検出する車両状態検出部として機能するとともに、この検出結果に基づき上記「強制切替処理」を実行するか否かを決定する制御部として機能する。
【００４９】
つまり、プロセッサー１０は、車両が移動中と判定した場合は、上記「強制切替処理」を実行し、車両が停止中と判定した場合には、上記「強制切替処理」をキャンセルする。これにより、車両が移動中の場合には、予め定めた条件に合致するラジオ放送の楽曲への自動切り替えが行われ、運転に集中し易い環境を提供する一方で、車両が停止中の場合は、自動切り替えが行われず、ユーザーの判断に委ねることができる。これにより、ユーザーがラジオ放送の内容チェックなどを比較的行い易い車両停止中は、ユーザーの当初の意図を反映してプレイリストに従って再生を継続することができ、特定のラジオ放送に勝手に切り替わってしまう事態を避けることができる。
【００５０】
また、例えば、プロセッサー１０が、「お気に入り楽曲通知機能」をオンに切り替えることにより、画面表示によって予め定めた条件に合致するラジオ放送があるか否かをユーザーに通知することが可能である。これにより、車両停止中は、ユーザーが画面表示を見て条件に合致するラジオ放送があるか否かを知ることができ、自身でラジオ放送に切り替えるか否かを判断することが可能になる。
【００５１】
上述した各実施形態は、あくまでも本発明の一実施の態様であり、本発明の趣旨を逸脱しない範囲で任意に変形、及び応用が可能である。
例えば、上述した各実施形態では、プレイリスト再生の場合に「強制切替処理」を実行する場合を例に説明したが、プレイリスト再生以外の場合も「強制切替処理」を実行しても良い。要は、放送コンテンツとは異なる別コンテンツを再生している場合に「強制切替処理」を実行することが可能である。
【００５２】
また、上述した各実施形態では、放送コンテンツが予め定めた条件に合致すると判定したときに再生中の別コンテンツの再生が終了すると、放送コンテンツを再生する場合を説明したが、これに限らず、いずれかの別コンテンツの再生が終了した後に上記放送コンテンツを再生するようにしても良い。この場合、条件に合致する放送コンテンツの再生が遅くなるが、放送コンテンツの切り替えをスムーズに行うことができる。
また、放送コンテンツ及び別コンテンツの一例として楽曲の場合を説明したが、楽曲に限らず、動画であっても良い。また、放送コンテンツはラジオ放送に限らず、ＴＶ放送や、いわゆるインターネット放送であっても良い。
【００５３】
また、上述した各実施形態では、強制切替処理などを行う制御プログラムを、車載用音響装置１に予め記憶していることを前提に説明したが、これに限らない。例えば、この制御プログラムを、磁気記録媒体、光記録媒体、又は半導体記録媒体などのコンピューターが読み取り可能な記録媒体に格納し、コンピューターが記録媒体からこの制御プログラムを読み取って実行するようにしても良い。また、この制御プログラムを、通信ネットワーク（電気通信回線）を介して配信サーバー等からダウンロードできるようにしてもよい。
【００５４】
また、車載用音響装置１は図１又は図５の構成に限定されない。例えば、ソフトウェアで実現されている機能の一部をハードウェアで実現してもよく、あるいは、ハードウェアで実現されている機能の一部をソフトウェアで実現してもよく、本発明の趣旨を逸脱しない範囲で適宜に変更可能である。
また、本発明を車載用音響装置１に適用する場合を説明したが、車載用の装置に限らず、本発明を、放送コンテンツと別コンテンツとを再生可能なコンテンツ再生装置に広く適用可能である。
【符号の説明】
【００５５】
１  車載用音響装置（コンテンツ再生装置）
１０  プロセッサー（制御部、車両状態検出部）
２０  表示部
３０  指示入力部
４０  ラジオ受信部（受信部）
５０  バッファ部
７０  再生部
１００  外部機器
２００  車速センサー
ＧＲ  ラジオ操作画面
ＧＰ  プレイリスト操作画面
【図１】
2017060002.tif 000003
【図２】
2017060002.tif 000004
【図３】
2017060002.tif 000005
【図４】
2017060002.tif 000006
【図５】
2017060002.tif 000007